(57)【要約】【課題】  滑走面の両側縁部にターン回転を行うためのカーブを形成しながら、直進及び着地時における安定性を損なうことなく、しかも多彩なターン回転を実現することができるスノーボードを提供する。【解決手段】  滑走面（２）は、長手方向の中央位置（２ｅ）における横幅（ｗｅ）が、長手方向の両端位置（２ｃ，２ｄ）と中央位置（２ｅ）の間に設けられてライダーの足が固定される足位置（２ｆ，２ｇ）における横幅（ｗｆ，ｗｇ）よりも広いことを特徴とする。【選択図】図１
0003128883.tif 000002
【実用新案登録請求の範囲】
【請求項１】
長手方向に延びる両側縁部（２ａ，２ｂ）にエッジ（２１，２２）が取り付けられる縦長状の滑走面（２）と、
該滑走面（２）の長手方向の両端位置（２ｃ，２ｄ）から延設され、上方に湾曲するノーズ（３）及びテール（４）と、を備えるスノーボードであって、
前記滑走面（２）は、前記長手方向の中央位置（２ｅ）における横幅（ｗｅ）が、前記両端位置（２ｃ，２ｄ）と前記中央位置（２ｅ）の間に設けられてライダーの足が固定される足位置（２ｆ，２ｇ）における横幅（ｗｆ，ｗｇ）より広いことを特徴とするスノーボード。
【請求項２】
請求項１に記載のスノーボードであって、
前記滑走面（２）は、前記中央位置（２ｅ）における横幅（ｗｅ）が、前記両端位置（２ｃ，２ｄ）における横幅（ｗｃ，ｗｄ）よりも狭いことを特徴とするスノーボード。
【請求項３】
請求項１又は２に記載のスノーボードであって、
前記両側縁部（２ａ，２ｂ）は、前記両端位置（２ｃ，２ｄ）から前記足位置（２ｆ，２ｇ）に向けて凹状のカーブ（Ｃ１，Ｃ２）を描くように湾曲させられている一方、前記中央位置（２ｅ）から前記足位置（２ｆ，２ｇ）に向けて凸状のカーブ（Ｃ３）を描くように湾曲させられており、これらのカーブが連続的に接続されていることを特徴とするスノーボード。
【考案の詳細な説明】
【技術分野】
【０００１】
本考案は、長手方向に延びる両側縁部にエッジが取り付けられる縦長状の滑走面と、該滑走面の長手方向の両端位置から延設され、上方に湾曲するノーズ及びテールと、を備えるスノーボードに関する。
【背景技術】
【０００２】
従来のスノーボードは、図２に示されるスノーボード５のように、長手方向（矢印Ｘ方向）に延びる両側縁部６ａ，６ｂの下面側にエッジ６１，６２が取り付けられる縦長状の滑走面６と、滑走面６の長手方向の両端位置６ｃ，６ｄから延設されて上方に湾曲するノーズ７及びテール８と、を備えてなり、両縁部６ａ，６ｂは、平面視で凹状のカーブＣを描くように形成されている（例えば、特許文献１参照。）。したがって、ライダーが体重移動によってエッジ６１，６２を利かせることで、カーブＣに応じたターン回転を容易に行うことができる。
【０００３】
また、カーブＣを形成することにより、長手方向の両端位置６ｃ，６ｄでは、滑走面６の横幅ｗｃ，ｗｄを広くして、直進及び着地時における安定性を確保することができる一方、長手方向の両端位置６ｃ，６ｄと中央位置６ｅとの中途部に設けられて、ライダーの足（ブーツＢ）がビンディングで固定される足位置６ｆ，６ｇでは、ブーツＢが両縁部６ａ，６ｂから若干はみ出す程度に滑走面６の横幅ｗｆ，ｗｇが狭くなり、ライダーの体重がブーツを介してエッジにかかり易くなって、その結果、ターン回転時のコントロール性を確保することができる。
【特許文献１】特開２００１−３５３２５１号公報（第６頁、図２）
【考案の開示】
【考案が解決しようとする課題】
【０００４】
しかしながら、カーブＣの形成によって、ターン回転時におけるコントロール性を確保し易いという利点がある反面、足位置６ｆ，６ｇの間、特に中央位置６ｅでは、滑走面６の横幅ｗｅが足位置６ｆ，６ｇの横幅ｗｆ，ｗｇよりもさらに狭くなっているために、直進時やジャンプした後の着地時にライダーの重心位置が進行方向と直交する方向にぶれた場合に安定性を失い易いという問題がある。また、ライダーの体重移動しだいでエッジの利き具合を変化させて、ターン回転にもある程度の変化を付けることができるが、カーブＣが単一であるために、多彩なターン回転を実現することまでは難しかった。
【０００５】
本考案は、斯かる実情に鑑み、スノーボードの滑走面の両側縁部にターン回転を行うためのカーブを形成しながら、直進及び着地時における安定性を損なうことなく、しかも多彩なターン回転を実現することができるスノーボードを提供しようとするものである。
【課題を解決するための手段】
【０００６】
請求項１の考案は、長手方向に延びる両側縁部（２ａ，２ｂ）にエッジ（２１，２２）が取り付けられる縦長状の滑走面（２）と、該滑走面（２）の長手方向の両端位置（２ｃ，２ｄ）から延設され、上方に湾曲するノーズ（３）及びテール（４）と、を備えるスノーボードであって、前記滑走面（２）は、前記長手方向の中央位置（２ｅ）における横幅（ｗｅ）が、前記両端位置（２ｃ，２ｄ）と前記中央位置（２ｅ）の間に設けられてライダーの足が固定される足位置（２ｆ，２ｇ）における横幅（ｗｆ，ｗｇ）より広いことを特徴とするスノーボードを提供する。
【０００７】
請求項２の考案は、請求項１に記載のスノーボードであって、前記滑走面（２）は、前記中央位置（２ｅ）における横幅（ｗｅ）が、前記両端位置（２ｃ，２ｄ）における横幅（ｗｃ，ｗｄ）よりも狭いことを特徴とするスノーボードを提供する。
【０００８】
請求項３の考案は、請求項１又は２に記載のスノーボードであって、前記両側縁部（２ａ，２ｂ）は、前記両端位置（２ｃ，２ｄ）から前記足位置（２ｆ，２ｇ）に向けて凹状のカーブ（Ｃ１，Ｃ２）を描くように湾曲させられている一方、前記中央位置（２ｅ）から前記足位置（２ｆ，２ｇ）に向けて凸状のカーブ（Ｃ３）を描くように湾曲させられており、これらのカーブが連続的に接続されていることを特徴とするスノーボードを提供する。
【考案の効果】
【０００９】
本考案の請求項１に記載のスノーボードによれば、以下の優れた効果を奏し得る。滑走面（２）において、ライダーの足が固定される足位置（２ｆ，２ｇ）の横幅（ｗｆ，ｗｇ）を狭くすることでエッジを利き易くして、ターン回転時におけるコントロール性を確保しながら、長手方向の中央位置（２ｅ）における横幅（ｗｅ）を広くすることで、ボード全体としての接地幅を一層大きくして、直進及び着地時における安定性を確保することができる。
【００１０】
本考案の請求項２に記載のスノーボードによれば、請求項２に記載のスノーボードが奏し得る効果に加えて、以下の優れた効果を奏し得る。滑走面（２）の中央位置（２ｅ）における横幅（ｗｅ）を両端位置（２ｃ，２ｄ）における横幅（ｗｃ，ｗｄ）よりも狭くすることで、エッジ２１又は２２の全体を利かせてターン回転する際に、中央位置（２ｅ）に対応するエッジ部分がカーブ状の回転軌跡から大きく外れて回転時の安定性を損なう事態が防止される一方、当該エッジ部分が雪の中に適度に差し込まれて、エッジグリップ力を向上させることができる。
【００１１】
本考案の請求項３に記載のスノーボードによれば、請求項１又は２に記載のスノーボードが奏し得る効果に加えて、以下の優れた効果を奏し得る。滑走面（２）の両側縁部（２ａ，２ｂ）において、二つの凹状のカーブ（Ｃ１，Ｃ２）の間に凸状のカーブ（Ｃ３）を形成するとともに、これらの円弧を連続的に接続したので、ライダーの両足に対する体重のかけ方によって、三つのカーブ（Ｃ１，Ｃ２，Ｃ３）を使い分けることが可能となり、しかも、使用するカーブをスムーズに変更することができるため、多彩なターン回転を実現させることができる。
【考案を実施するための最良の形態】
【００１２】
以下、本考案の実施形態を図面参照しながら説明する。図１は、本考案の実施形態となるスノーボード１を示した図であって、（ａ）は平面図、（ｂ）は側面図である。
【００１３】
スノーボード１は、図１（ａ）に示されるように、長手方向（矢印Ｘ方向）に延びる両側縁部２ａ，２ｂの下面側にエッジ２１，２２が取り付けられる縦長状の滑走面２と、滑走面２の長手方向の両端位置２ｃ，２ｄから延設され、図１（ｂ）に示されるように、上方に湾曲するノーズ３及びテール４と、を備えてなる。滑走面２において、その両端位置２ｃ，２ｄと、長手方向の中央位置２ｅとの間には、それぞれライダーの足（ブーツＢ）が固定される足位置２ｆ，２ｇが設けられており、各足位置には、ブーツＢを固定するためのビンディングを取り付ける複数のネジ穴２３，２４が設けられている。
【００１４】
両側縁部２ａ，２ｂは、図１（ａ）に示されるように、平面視で、滑走面２の両端位置２ｃ，２ｄから、それぞれ足位置２ｆ，２ｇに向けて凹状のカーブ（円弧）Ｃ１，Ｃ２を描くように湾曲させられており、また、中央位置２ｅから、足位置２ｆ，２ｇに向けて凸状のカーブ（円弧）Ｃ３を描くように湾曲させられている。これらの円弧Ｃ１，Ｃ２，Ｃ３は、全体として、緩やかな波形状を成すように連続的に接続されている。これにより、両端位置２ｃ，２ｄにおける横幅ｗｃ，ｗｄ、及び中央位置２ｅにおける横幅ｗｅは、足位置２ｆ、２ｇにおける横幅ｗｆ，ｗｇよりも広く設定されることになる。
【００１５】
足位置２ｆ、２ｇにおける横幅ｗｆ，ｗｇは、ここに固定されるブーツＢのつま先及びかかと部分が両側縁部２ａ，２ｂから若干はみ出す程度の寸法に設定されており、ライダーが前後に体重移動させることによって、側縁部２ａあるいは２ｂに対して荷重をかけ易くし、ターン回転時におけるコントロール性を確保している。なお、中央位置２ｅにおける横幅ｗｅは、両端位置２ｃ，２ｄにおける横幅ｗｃ，ｗｄよりも狭く設定されている。
【００１６】
（上記実施形態に係るスノーボード１の特徴）
第一に、スノーボード１は、滑走面２の長手方向の中央位置２ｅにおける横幅ｗｅが、ブーツＢが固定される足位置２ｆ、２ｇにおける横幅ｗｆ，ｗｇよりも広く設定されているという特徴を有する。足位置２ｆ、２ｇの中間位置（中央位置２ｅ）において滑走面２の横幅ｗｅを広くしたので、直進時やジャンプからの着地時にライダーの重心が横方向（進行方向と直交する方向）にぶれることがあっても、走行安定性が容易に失われる心配がない。また、ボード全体としての接地幅（設置面積）を広くなるため、その点においても直進時及び着地時における安定性に優れている。
【００１７】
第二に、スノーボード１は、滑走面２の中央位置２ｅにおける横幅ｗｅが、両端位置２ｃ，２ｄにおける横幅ｗｃ，ｗｄよりも狭く設定されているという特徴を有する。したがって、両側縁部２ａ，２ｂに設けられたエッジ２１又は２２の全体を利かせてターン回転する際に、中央位置２ｅに対応するエッジ部分が仮想エッジラインである円弧状の回転軌跡Ｐ（図１（ａ）に示す）から大きくはみ出して回転時の安定性を損なう事態が防止される一方、当該エッジ部分が雪の中に適度に差し込まれてエッジグリップ力を向上させることができる。
【００１８】
第三に、スノーボード１は、両側縁部２ａ，２ｂは、両端位置２ｃ，２ｄから足位置２ｇ，２ｆに向けて凹状の円弧Ｃ１，Ｃ２を描くように湾曲させられている一方、中央位置２ｅから前記足位置２ｇ，２ｆに向けて凸状の円弧Ｃ３を描くように湾曲させられており、これらの円弧が連続的に接続されているという特徴を有する。これにより、ライダーの両足による荷重のかけ方によって、三つの円弧Ｃ１，Ｃ２，Ｃ３を使い分けることが可能となり、しかも、使用する円弧をＣ１からＣ２，Ｃ２からＣ３という具合にスムーズに変更させることができ、様々な形式のターン回転を実現させることができる。
【００１９】
（上記実施形態の変形例）
上記実施形態において、足位置２ｆ，２ｇは、ネジ穴群２３，２４の長手方向の中点を横断する一点鎖線として図１（ａ）に示したが、これに限らず、実際にライダーの装着するブーツＢが固定される範囲全体を指すものとする。その他、本考案は、上記実施形態に限定されるものではなく、その要旨を逸脱しない範囲で適宜変更を加え得ることは勿論である。
【図面の簡単な説明】
【００２０】
【図１】本考案の実施形態に係るスノーボードを示す（ａ）平面図、及び（ｂ）側面図。
【図２】従来のスノーボードを示す（ａ）は平面図、及び（ｂ）側面図。
【符号の説明】
【００２１】
１    スノーボード
２    滑走面
２ａ    側縁部
２ｂ    側縁部
２ｃ    両端位置
２ｄ    両端位置
２ｅ    中央位置
２ｆ    足位置
２ｇ    足位置
２１    エッジ
２２    エッジ
３    ノーズ
４    テール
Ｂ    ブーツ
【図１】
0003128883.tif 000003
【図２】
0003128883.tif 000004